(57)【要約】【課題】軽量化が可能な構造の照明装置を提供する。【解決手段】照明装置１は、光を照射するＬＥＤモジュール２０と、第一の底板面１１１と第一の底板面１１１とは反対側の面である第二の底板面１１２とが形成され第一の底板面１１１にＬＥＤモジュール２０が取り付けられる底板部１１と、第一の天板面１２１と第一の天板面１２１とは反対側の面である第二の天板面１２２とが形成され第一の天板面１２１が露出している天板部１２と、底板部１１の厚み方向に対して垂直な第一の方向に沿って延びる形状であり第二の底板面１１２と第一の天板面１２１とを連結する連結部１３とを、有し、底板部１１と天板部１２と連結部１３が一体に形成されている本体部１０と、を備える。【選択図】          図３
2020123469.tif 000002
【特許請求の範囲】
【請求項１】
光を照射する光源と、
第一の底板面と前記第一の底板面とは反対側の面である第二の底板面とが形成され前記第一の底板面に前記光源が取り付けられる底板部と、第一の天板面と前記第一の天板面とは反対側の面である第二の天板面とが形成され前記第一の天板面は露出している天板部と、前記底板部の厚み方向に対して垂直な第一の方向に沿って延びる形状であり前記第二の底板面と前記第一の天板面とを連結する連結部とを、有し、前記底板部と前記天板部と前記連結部が一体に形成されている本体部と、
を備える照明装置。
【請求項２】
前記連結部は板状である請求項１に記載の照明装置。
【請求項３】
前記第一の方向に垂直な断面において、上方が前記第一の天板面に覆われ、下方が前記第二の底板面に覆われ、一方の側方が前記連結部に覆われ、他方の側方が外部と連通している空間が形成されている請求項１又は請求項２に記載の照明装置。
【請求項４】
前記第二の底板面には放熱部が設けられている請求項１から請求項３のいずれか一項に記載の照明装置。
【請求項５】
前記放熱部は、前記本体部の一部であって前記第一の方向に沿って延びる形状であり、
前記本体部は、前記底板部と前記天板部と前記連結部と前記放熱部が一体に形成される請求項４に記載の照明装置。
【請求項６】
前記放熱部の厚みは、前記連結部の厚みよりも薄い請求項４又は請求項５に記載の照明装置。
【請求項７】
前記本体部の前記第一の方向に垂直な断面の形状は一定である請求項１から請求項６のいずれか一項に記載の照明装置。
【請求項８】
前記本体部を被設置物に設置するためのアームを備え、
前記本体部は、前記第一の方向及び前記底板部の厚み方向に対してそれぞれ垂直な第二の方向における前記底板部の端部に前記アームが取り付けられるアーム取付部を有する請求項１から請求項７のいずれか一項に記載の照明装置。
【請求項９】
前記アームは、前記被設置物に固定されるアーム基部と、前記アーム基部と連結し前記アーム取付部に取り付けられるアーム腕部と、を有し、
前記第一の方向に対して垂直な面に投影された前記アーム腕部の投影面積は、前記第二の方向に対して垂直な面に投影された前記アーム腕部の投影面積よりも小さい請求項８に記載の照明装置。
【請求項１０】
前記第二の天板面は前記光源に電力を供給する電源装置が取り付け可能である請求項１から請求項９のいずれか一項に記載の照明装置。
【請求項１１】
前記天板部は、貫通孔が形成され、
前記電源装置は、前記貫通孔に挿入される固定片を有し、
前記固定片が前記貫通孔に挿入された状態でかしめられることで、前記電源装置が前記天板部に取り付けされている請求項１０に記載の照明装置。
【発明の詳細な説明】
【技術分野】
【０００１】
本発明は、照明装置に関する。
【背景技術】
【０００２】
従来、特許文献１のように、工場ならびに体育館などの天井の高い建築物に設置され照射空間を上方から照らす照明装置がある。
【０００３】
特許文献１の照明装置は、光を照射する光源であるＬＥＤ（Ｌｉｇｈｔ  Ｅｍｉｔｔｉｎｇ Ｄｉｏｄｅ）と、ＬＥＤに電力を供給する電源基板と、ＬＥＤを外部に実装するととともに電源基板を内部に実装する本体部とを備えている。本体部には、電源基板を収納する収納部と、下面側にＬＥＤを載置する載置部と、を有している。また、収納部と載置部とは、金属材による押出成型で一体に成型されている。
【先行技術文献】
【特許文献】
【０００４】
【特許文献１】特開２０１８−１４２３１号公報
【発明の概要】
【発明が解決しようとする課題】
【０００５】
ところで、特許文献１のような天井の高い建築物に設置される照明装置は設置作業の利便性などの要因によって軽量化が求められている。
【０００６】
しかしながら、特許文献１の照明装置は、本体部に収納部を設けたことで照明装置全体が大きくなり、重くなるという問題がある。特に、収納部は金属材による押出成型で成型されている点と、押出成形では肉厚の薄い部材を成型することが困難である点とが要因となり、特許文献１の照明装置の構造では軽量化が困難である。
【０００７】
本発明は、軽量化が可能な構造の照明装置の提供を目的とする。
【課題を解決するための手段】
【０００８】
本発明の一態様に係る照明装置は、光を照射する光源と、第一の底板面と第一の底板面とは反対側の面である第二の底板面とが形成され第一の底板面に光源が取り付けられる底板部と、第一の天板面と第一の天板面とは反対側の面である第二の天板面とが形成され第一の天板面は露出している天板部と、底板部の厚み方向に対して垂直な第一の方向に沿って延びる形状であり第二の底板面と第一の天板面とを連結する連結部とを、有し、底板部と天板部と連結部が一体に形成されている本体部と、を備える。
【発明の効果】
【０００９】
本発明は、特許文献１の照明装置と比較して軽量化を図ることができる、と言う利点がある。
【図面の簡単な説明】
【００１０】
【図１】実施の形態に係る照明装置を上方から見た斜視図である。
【図２】実施の形態に係る照明装置の下方から見た斜視図である。
【図３】実施の形態に係る照明装置の分解斜視図である。
【図４】実施の形態に係る照明装置の前面図である。
【図５】実施の形態に係る照明装置の後面図である。
【図６】実施の形態に係る照明装置の右側面図である。
【図７】実施の形態に係る照明装置の左側面図である。
【図８】実施の形態に係る照明装置の上面図である
【図９】実施の形態に係る照明装置の下面図である。
【図１０】実施の形態に係る本体部の図８におけるＡ−Ａ断面を示す断面図である。
【発明を実施するための形態】
【００１１】
以下、本発明の実施の形態について詳細に説明する。図面において、同一の符号を付したものは、同一または相当するものである。また、図面では各構成部材の大きさの関係が実際のものとは異なる場合がある。そして、実施の形態は本発明の一例であり、本発明は実施の形態の構成に限定されることは無く、本発明に係る技術的思想を逸脱しない範囲であれば種々の変更が可能である。
【００１２】
図１は、実施の形態に係る照明装置を上方から見た斜視図である。図２は、実施の形態に係る照明装置の下方から見た斜視図である。図３は、実施の形態に係る照明装置の分解斜視図である。図４は、実施の形態に係る照明装置の前面図である。図５は、実施の形態に係る照明装置の後面図である。図６は、実施の形態に係る照明装置の右側面図である。図７は、実施の形態に係る照明装置の左側面図である。図８は、実施の形態に係る照明装置の上面図である。図９は、実施の形態に係る照明装置の下面図である。実施の形態では、照明装置１は図示を省略した建築物の天井などの被設置物に設置されているものとして説明する。ただし、被設置物はこの限りではなく、例えば道路灯などでも良い。また、図１において照明装置１の上下、左右、前後の各方向を規定しているが、実施の形態の説明のために規定しており、本発明の装置及び部品などの配置や向きを限定するものでは無い。
【００１３】
照明装置１は、図１から図９に示すように、本体部１０と、光源に該当するＬＥＤモジュール２０と、レンズ３０と、カバー４０と、電源装置５０と、アーム６０と、を備える。
【００１４】
図１０は実施の形態に係る本体部の図８におけるＡ−Ａ断面を示す断面図である。本体部１０は、底板部１１と、天板部１２と、底板部１１と天板部１２とを連結する連結部１３と、底板部１１に設けられた複数のアーム取付部１４と、底板部１１に設けられた複数の放熱部１５と、を有している。本体部１０は押出成形によって成形されており、底板部１１と天板部１２と連結部１３とアーム取付部１４と放熱部１５とは一体に成形されている。このため、本体部１０は押出成形における押出方向に対して垂直な断面の形状は一定となっている。ここで押出方向を第一の方向と称する。なお、実施の形態では第一の方向は図１の前後方向に相当する。また、実施の形態では後述するアーム取付孔１４１、天板貫通孔１２３及び底板側取付孔１１３など照明装置１を組み立てる際に必要な孔が形成されており、厳密には本体部１０の第一の方向に対して垂直な段面の形状は一定では無いが、本発明ではこのように本体部１０に照明装置１を組み立てる際に必要な孔が形成されている場合についても本体部１０は第一の方向に対して垂直な段面の形状は一定であるとする。
【００１５】
底板部１１は第一の方向に対して平行である板状の形状を呈している。底板部１１は、第一の方向に対して垂直な面に投影された投影図（図４の前面図が相当）に示すように厚みを有している。底板部１１の厚み方向は第一の方向に対して垂直であり、実施の形態では底板部１１の厚み方向は図１の上下方向に相当する。なお、厚み方向とは板状の形状の部材における厚みの方向のことを示している。また、底板部１１は、底板部１１の厚み方向に対して垂直な下面と、下面とは反対側の面である上面とが形成されている。ここで、底板部１１の下面を第一の底板面１１１と称し、底板部１１の上面を第二の底板面１１２と称する。また、底板部１１には厚み方向に貫通する底板貫通孔（図示省略）が形成されており、底板貫通孔にはブッシュ１６が挿入されている（図３参照）。ブッシュ１６にはＬＥＤモジュール２０と電源装置５０を電気的に接続する配線が挿入される。さらに、底板部１１の第一の底板面１１１にはカバー４０を取り付けるための底板側取付孔１１３が形成されている。
【００１６】
天板部１２は第一の方向に対して平行である板状の形状を呈している。天板部１２は、第一の方向に対して垂直な面に投影された投影図（図４の前面図が相当）に示すように厚みを有している。天板部１２の厚み方向は第一の方向に対して垂直であり、実施の形態では天板部１２の厚み方向は図１の上下方向に相当する。また、天板部１２は、天板部１２の厚み方向に対して垂直な下面と、下面とは反対側の面である上面とが形成されている。ここで、天板部１２の下面を第一の天板面１２１と称し、天板部１２の上面を第二の天板面１２２と称する。天板部１２は底板部１１に対して、第一の天板面１２１と第二の底板面１１２とが対向するように配置されている。また、天板部１２には厚み方向に貫通する配線用孔（図示省略）が形成されている。配線用孔はＬＥＤモジュール２０と電源装置５０を電気的に接続する配線が挿入される。また、天板部１２には厚み方向に貫通する天板貫通孔１２３が複数形成されていることが望ましい（図３参照）。また、天板部１２の第一の天板面１２１は外部に露出している。
【００１７】
連結部１３は第一の方向に沿って延びる板状の形状を呈している。連結部１３は、第一の方向に対して垂直な面に投影された投影図（図４の前面図が相当）に示すように厚みを有している。連結部１３の厚み方向は第一の方向に対して垂直である。また、連結部１３の厚み方向と、底板部１１の厚み方向及び天板部１２の厚み方向とはそれぞれ別の方向である。実施の形態では、連結部１３の厚み方向は図１の左右方向に相当し、連結部１３の厚み方向と、底板部１１の厚み方向及び天板部１２の厚み方向とは垂直である。また、連結部１３の一方の端部側、つまり図１における下側は第二の底板面１１２と連結している。また、連結部１３の他方の端部側、つまり図１における上側は第一の天板面１２１と連結している。
【００１８】
アーム取付部１４は、底板部１１の第二の方向における端部にそれぞれ設けられている。ここで第二の方向とは、第一の方向及び底板部１１の厚み方向に対してそれぞれ垂直な方向であり、図１における左右方向が該当する。アーム取付部１４は第一の方向に沿って延びる板状の形状を呈している。アーム取付部１４は、第一の方向に対して垂直な面に投影された投影図（図４の前面図が相当）に示すように厚みを有している。アーム取付部１４の厚み方向は第一の方向に対して垂直である。アーム取付部１４の厚み方向と底板部１１の厚み方向とはそれぞれ別の方向であり、実施の形態ではアーム取付部１４の厚み方向は図１の左右方向である。また、複数のアーム取付部１４は第二の底板面１１２より突出するようにそれぞれ設けられている。さらに、複数のアーム取付部１４には厚み方向にアーム取付孔１４１がそれぞれ形成されている。
【００１９】
複数の放熱部１５は第一の方向に沿って延びる板状の形状をそれぞれ呈している。放熱部１５は、第一の方向に対して垂直な面に投影された投影図（図４の前面図が相当）に示すようにそれぞれ厚みを有している。放熱部１５の厚み方向は第一の方向に対して垂直である。また、放熱部１５の厚み方向と底板部１１の厚み方向とはそれぞれ別の方向であり、実施の形態では放熱部１５の厚み方向は図１の左右方向である。放熱部１５の下方向の端部は第二の底板面１１２と一体となっており、放熱部１５は第二の底板面１１２より突出するようにそれぞれ設けられている。また、複数の放熱部１５は第二の方向に沿って並べられるよう形成されている。
【００２０】
また、本体部１０は第一の方向に対して垂直な面に投影された投影図（図４の前面図が相当）では、横向きにした略Ｈ形になるように本体部１０は形成されることが望ましい。ここでＨ形とは、底板部１１と天板部１２が平行であり、連結部１３が底板部１１及び天板部１２と垂直に設けられている形状のことを示している。さらに、底板部１１の第二の方向における中央と、天板部１２の第二の方向における中央が同一直線状に位置し、連結部１３は底板部１１の第二の方向における中央と天板部１２の第二の方向における中央を連結するように形成されることがより望ましい。
【００２１】
また、本体部１０は第一の方向に対して垂直な断面において、上方が第一の天板面１２１に覆われ、下方が第二の底板面１１２に覆われ、一方の側方が連結部１３に覆われ、他方の側方が外部と連通している空間１７が形成されていることが望ましい。
【００２２】
また、軽量化のため、本体部１０を構成する各部材は薄肉であることが望ましい。特に、底板部１１と天板部１２とを連結する部材であり強度が必要である連結部１３及びアーム取付孔１４１が形成され後述するアーム固定部材６３と締結されるアーム取付部１４と比較して、放熱部１５は薄肉化することが可能である。従って、放熱部１５の厚みは連結部１３の厚み又はアーム取付部１４の厚みより薄いことが望ましい。
【００２３】
また、本体部１０の材料は、熱伝導率が高い点と、軽い材料である点と、押出成形が容易である点とを備えることが望ましい。このような材料として、アルミニウム又はアルミニウム合金が挙げられる。従って、本体部１０の材料はアルミニウム又はアルミニウム合金であることが望ましい。
【００２４】
図３に示すように、ＬＥＤモジュール２０は、複数のＬＥＤ２１と、実装基板２２とを有する。ＬＥＤ２１は、例えば、表面実装型の白色ＬＥＤなどが用いられる。実装基板２２は平板形状の基板である。実装基板２２の一方の面である実装面２２１にはＬＥＤ２１が並べられて実装されている。また、実装基板２２にはＬＥＤ２１の電極を電気的に接続する配線用の導体（図示省略）が設けられている。また、実装基板２２には給電用の端子（図示省略）が設けられており、ＬＥＤモジュール２０と電源装置５０を電気的に接続する配線の一方の端部が取り付けられる。
【００２５】
さらに、ＬＥＤモジュール２０は、実装面２２１と反対側の面が底板部１１の第一の底板面１１１と対向する向きで、第一の底板面１１１に取り付けられる。ＬＥＤモジュール２０は少なくともＬＥＤ２１で発生した熱が本体部１０に伝熱するように取り付けられており、例えばねじや熱伝導性接着剤により取り付けられる。このようにＬＥＤモジュール２０を本体部１０に取り付けることによって、ＬＥＤ２１が発光した際に、ＬＥＤ２１の光は下方向に照射され、ＬＥＤ２１で発生した熱は本体部１０に伝熱され放熱部１５などから大気中に放熱される。
【００２６】
レンズ３０は、ＬＥＤモジュール２０より照射される光を発散又は収束させる光学素子である。図３に示すようにレンズ３０は実装基板２２の実装面２２１と対向するように配置される。
【００２７】
カバー４０は、ＬＥＤモジュール２０とレンズ３０を覆う部材である。カバー４０は透光性を有する合成樹脂などが用いられ、上面に開口部を有する箱状に形成される。図３に示すように、カバー４０の開口部が第一の底板面１１１と対向し、カバー４０はＬＥＤモジュール２０及びレンズ３０を覆うように第一の底板面１１１に取り付けられる。また、カバー４０には第一の底板面１１１に形成された底板側取付孔１１３と対応する位置にカバー貫通孔４１が形成されており、底板側取付孔１１３及びカバー貫通孔４１にねじが挿入されてカバー４０は第一の底板面１１１に取り付けられる。
【００２８】
図３に示すように、電源装置５０は、電源回路５１と、ケース５２と、端子台５３とを有する。
【００２９】
電源回路５１は、ＬＥＤモジュール２０に電力を供給するための回路である。電源回路５１は、商用電源などの外部から供給される電力をＬＥＤモジュール２０が点灯するために必要な直流電流に変換する電力変換回路と、電力変換回路を制御する制御回路を有する。電力変換回路は、例えば、全波整流器、昇圧チョッパ回路及び降圧チョッパ回路などで構成される。制御回路は、ユーザーの操作を受け付ける操作端末などより入力された調光に関する操作情報を取得し、取得した操作情報に応じて電力変換回路を制御することでＬＥＤモジュール２０を調光する。また、電源回路５１にはＬＥＤモジュール２０と電源装置５０を電気的に接続する配線の他方の端部が取り付けられている。
【００３０】
ケース５２は、電源回路５１を覆う部品である。ケース５２は、四角形状のケース板５２１と、ケース板５２１の四つの辺から同一方向（図１における下方向）に突出する四つの側板５２２とを有している。ケース５２は一枚の金属板より構成されており、側板５２２はケース板５２１の辺と繋がった板材が曲げ起こされることにより成形されている。
【００３１】
電源回路５１は、ケース板５２１の側板５２２が突出している側の面（図１における下面）に取り付けられている。また、側板５２２には少なくとも一ヶ所に側板貫通孔（図示省略）が形成されており、側板貫通孔には電源回路５１と端子台５３とを電気的に接続する配線が挿入されている。また、四つの側板５２２のケース板５２１との接続側とは反対側の端部（図１における下側）は、天板部１２の第二の天板面１２２と接する状態で本体部１０に固定される。つまり、電源回路５１は、ケース５２と、天板部１２とに囲まれている。
【００３２】
また、側板５２２において、ケース板５２１と繋がっている側とは反対側の端部（図１における下側の端部）には、固定片５２３が設けられていることが望ましい。固定片５２３は天板部１２の天板貫通孔１２３と対応する位置に設けられており、固定片５２３が天板貫通孔１２３に挿入され状態でかしめられることでケース５２と天板部１２が固定される。ここで言う「かしめられる」とは、金属の接合部分を打つ又は折り曲げるなどして塑性変形させることで２つの部材を互いに固定することを意味する。ケース５２と天板部１２はかしめられることで固定されており、かしめられた部分より熱が伝わる。このため、電源回路５１で発生した熱はケース５２を介して本体部１０に伝わり、放熱部１５などから大気中に放熱される。
【００３３】
端子台５３は、側板５２２の外表面に設けられている。端子台５３は電源回路５１と配線を介して電気的に接続されている。また、端子台５３は外部から電力が供給される電力線又は操作端末から操作情報が送信される信号線などが接続される。
【００３４】
図３に示すようにアーム６０は、アーム基部６１と、二つのアーム腕部６２とを有している。アーム６０は、長尺の金属板を長手方向における両端で同一方向（図１における下方向）に曲げ起こされ、略Ｕ字状に形成されている。
【００３５】
アーム基部６１の厚み方向に対して垂直な面に投影された投影図（図８の上面図が相当）において、アーム基部６１には、長手方向における中央よりも一方のアーム腕部６２側に第一のアーム基部貫通孔６１１と、長手方向における中央よりも他方のアーム腕部６２側に第二のアーム基部貫通孔６１２が形成されている。第一のアーム基部貫通孔６１１及び第二のアーム基部貫通孔６１２には吊りボルトを挿入され、ナットでアーム基部６１を締められることによってアーム基部６１は被設置物に固定される。
【００３６】
また、第一のアーム基部貫通孔６１１は、アーム６０の長手方向に延びる長孔と、円形の孔とが組み合わさった形状であることが望ましい。さらに第一のアーム基部貫通孔６１１は、長孔の他方のアーム腕部６２側の端部に円形の孔が形成され、円形の孔の半径は長孔の短手方向の径よりも長い形状であることが望ましい。第二のアーム基部貫通孔６１２はアーム６０の短手方向に延びる長孔であることが望ましい。
【００３７】
アーム腕部５６には、アーム取付部１４のアーム取付孔１４１と対応する位置に、第一のアーム腕部貫通孔６２１と、第二のアーム腕部貫通孔６２２が形成されている。第一のアーム腕部貫通孔６２１は円形の孔であり、第二のアーム腕部貫通孔６２２は円弧形状の長孔である。アーム取付孔１４１と、第一のアーム腕部貫通孔６２１又は第二のアーム腕部貫通孔６２２とにねじ又はリベットなどのアーム固定部材６３を挿入し締結することで、アーム６０は本体部１０に固定される。また、第二のアーム腕部貫通孔６２２は円弧形状であるため、照明装置１を被設置物に設置した後であっても本体部１０は所定の角度まで回転させることができる。
【００３８】
また、図４および図６に示すように第一の方向に対して垂直な面（つまり図１における前面）に投影されたアーム腕部５６の投影面積は、第二の方向に対して垂直な面（つまり図１における側面）に投影されたアーム腕部５６の投影面積よりも小さい。
【００３９】
以上より、実施の形態に係る照明装置１は、第一の態様として、光を照射する光源（ＬＥＤモジュール２０）と、第一の底板面１１１と第一の底板面１１１とは反対側の面である第二の底板面１１２とが形成され第一の底板面１１１に光源（ＬＥＤモジュール２０）が取り付けられる底板部１１と、第一の天板面１２１と第一の天板面１２１とは反対側の面である第二の天板面１２２とが形成され第一の天板面１２１は露出している天板部１２と、底板部１１の厚み方向に対して垂直な第一の方向に沿って延びる形状であり第二の底板面１１２と第一の天板面１２１とを連結する連結部１３とを、有し、底板部１１と天板部１２と連結部１３が一体に形成されている本体部１０と、を備える構成である。当該構成によって、本体部１０に収納部が形成されず、特許文献１の照明装置と比較して、照明装置の軽量化を図ることができる。また、第一の天板面１２１が露出しているため、第一の天板面１２１より外部空気に熱を放熱することができ、ＬＥＤモジュール２０の発熱を効率的に外部空気に放熱することができる。
【００４０】
さらに、実施の形態に係る照明装置１は、第二の態様として、第一の態様の構成に連結部１３は板状である構成を付加している。付加した構成によって、本体部１０の構造が簡略化される効果を有する。
【００４１】
さらに、実施の形態に係る照明装置１は、第三の態様として、第一の態様又は第二の態様の構成に第一の方向に垂直な断面において、上方が第一の天板面１２１に覆われ、下方が第二の底板面１１２に覆われ、一方の側方が連結部１３に覆われ、他方の側方が外部と連通している空間１７が形成されている。付加した構成によって、外部空気と接する本体部１０の表面積が広くなり、ＬＥＤモジュール２０の発熱を効率的に外部空気に放熱することができる。
【００４２】
さらに、実施の形態に係る照明装置１は、第四の態様として、第一の態様からの第三の態様のいずれか一つの態様の構成に第二の底板面１１２には放熱部１５が設けられている構成を付加している。付加した構成によって、本体部１０の表面積が広くなり、ＬＥＤモジュール２０の発熱を効率的に大気中に放熱することができる。
【００４３】
さらに、実施の形態に係る照明装置１は、第五の態様として、第四の態様の構成に放熱部１５は本体部１０の一部であって第一の方向に沿って延びる形状であり、本体部１０は底板部１１と天板部１２と連結部１３と放熱部１５が一体に形成される構成を付加している。付加した構成によって、放熱部１５を含めた本体部１０を一体に成形することができるため、照明装置を容易に製造することができる。
【００４４】
さらに、実施の形態に係る照明装置１は、第六の態様として、第四の態様又は第五の態様の構成に放熱部１５の厚みは連結部１３の厚みよりも薄い構成を付加している。付加した構成によって、照明装置の軽量化を図ることができる。
【００４５】
さらに、実施の形態に係る照明装置１は、第七の態様として、第一の態様から第六の態様のいずれか一つの構成に本体部１０は第一の方向に垂直な断面の形状は一定である構成を付加している。付加した構成によって、本体部１０は押出成形によって成形することができるため、照明装置を用意に製造することができる。また、押出成形によって成形する部材が本体部１０のみであり、本体部１０には収納部を設ける必要が無いため、特許文献１の照明装置と比較して照明装置の軽量化を図ることができる。
【００４６】
さらに、実施の形態に係る照明装置１は、第八の態様として、第一の態様から第七の態様のいずれか一つの構成に本体部１０を被取付部に設置するためのアーム６０を備え、本体部１０は第一の方向及び底板部１１の厚み方向に対してそれぞれ垂直な第二の方向における底板部１１の端部にアーム６０が取り付けられるアーム取付部１４を有する構成を付加している。付加した構成によって、本体部１０を容易に被取付部に設置することができる。特に、第五の態様の構成に第八の態様の構成を付加することによって、複数の放熱部１５同士の隙間をアーム６０によって塞ぐことが無くなり、放熱部１５同士の隙間に熱が滞留することを抑制することができる。
【００４７】
さらに、実施の形態に係る照明装置１は、第九の態様として、第八の態様の構成にアーム６０は被設置物に固定されるアーム基部６１と、アーム基部６１と連結しアーム取付部１４に取り付けられるアーム腕部６２と、を有し、第一の方向に対して垂直な面に投影されたアーム腕部６２の投影面積は、第二の方向に対して垂直な面に投影されたアーム腕部６２の投影面積よりも小さい構成を付加している。付加した構成によって、第一の方向に対する空気の流れが円滑になり、より本体部の放熱性能を向上させることができる。
【００４８】
さらに、実施の形態に係る照明装置１は、第十の態様として、第一の態様から第九の態様のいずれか一つの構成に、第二の天板面１２２は光源（ＬＥＤモジュール２０）に電力を供給する電源装置５０が取り付け可能である構成を付加している。付加した構成によって、本体部１０に収納部を形成しなくとも電源装置５０を取り付けることができ、特許文献１の照明装置と比較して、照明装置の軽量化を図ることができる。
【００４９】
さらに、実施の形態に係る照明装置は、第十一の態様として、第十の態様の構成に天板部１２は天板貫通孔１２３が形成され、電源装置５０は天板貫通孔１２３に挿入される固定片５２３を有し、固定片５２３が天板貫通孔１２３に挿入された状態でかしめられることで、電源装置５０が天板部１２に取り付けされる構成を付加している。付加した構成によって、天板部１２と電源装置５０との取り付けにねじ又はリベットなどの取付部材が不要となり部品点数が減るため、照明装置１を軽量化することができる。
【００５０】
また、実施の形態に係る照明装置は、第十二の態様として、光を照射する光源（ＬＥＤモジュール２０）と、第一の底板面１１１と第二の底板面１１２とが形成され光源（ＬＥＤモジュール２０）が第一の底板面１１１に取り付けられる底板部１１と、第二の底板面１１２より突出し底板部１１の厚み方向に対して垂直な第一の方向に沿って延びる形状である放熱部１５と、底板部１１と一体に形成されているアーム取付部１４と、被設置物に設置されるアーム基部６１と、アーム基部６１と連結しアーム取付部１４に取り付けられるアーム腕部６２と、を備え、第一の方向に対して垂直な面に投影されたアーム腕部６２の投影面積は、第一の方向及び底板部１１の厚み方向に対して平行な面に投影されたアーム腕部６２の投影面積よりも小さい構成である。当該構成によって、放熱部１５に沿って流れる空気の流れが円滑になり、より本体部の放熱性能を向上させることができる。
【００５１】
また、実施の形態に係る照明装置は、第十三の態様として、第十二の態様の構成にアーム取付部１４は第一の方向及び底板部１１の厚み方向に対してそれぞれ垂直な第二の方向における底板部１１の端部に設けられている構成を付加している。付加した構成によって複数の放熱部１５同士の隙間をアーム腕部６２によって塞ぐことが無くなり、放熱部１５同士の隙間に熱が滞留することを抑制することができる。
【００５２】
また、以下に実施の形態について複数の変形例を説明する。変形例の説明では上述した実施の形態を基本例と称する。また、それぞれの変形例は基本例又は変形例同士と適宜組み合わせても構わない。
【００５３】
基本例では、底板部１１と天板部１２と連結部１３とアーム取付部１４と放熱部１５とを押出成形によって一体に成形されているが、これに限らない。例えば底板部１１と天板部１２と連結部１３とアーム取付部１４とを一体に成形し、別体で形成した放熱部１５を底板部１１にねじ止め又はかしめ固定する構成でも構わない。この構成の場合、放熱部１５の厚さを押出成形では成形が困難な薄さにすることができ、放熱部１５の枚数を増やすことができるため、より効率的に放熱することが可能な構造を得ることができる。
【００５４】
基本例では、ケース５２は一枚の金属板より構成されているが、これに限らない。例えば、四つの側板５２２のうち少なくとも一つの側板５２２がケース板５２１とは別の部材であり、ねじなどの締結部材によってケース板５２１又はケース板５２１と繋がった側板５２２に取り付けられている構成でも構わない。この構成の場合、締結部材を外すことでケース５２内部の電源回路を目視することができ、容易にメンテナンスを行うことができる。また、この変形例の構成にケース板５２１と別部材である側板５２２は固定片５２３が設けられていない構成を付加しても良い。この付加された構成によって、側板５２２を単独で取り外すことができ、より容易にメンテナンスを行うことができる。
【００５５】
基本例では、光源としてＬＥＤモジュール２０を用いているがこれに限らない。例えば、有機エレクトロルミネッセンス素子など他の発光素子を光源として用いても構わない。
【００５６】
基本例では、天板部１２の第二の天板面１２２に電源装置５０が取り付けられているが、これに限らない。例えば、照明装置１は電源装置５０を備えておらず、光源（ＬＥＤモジュール）は他の場所に配置された電源装置から電力の供給を受けて点灯する構成でも構わない。また、このように他の場所に配置された電源装置から電力の供給を受ける場合は、本体部は天板部１２及び連結部１３と有していなくても構わない。
【符号の説明】
【００５７】
１  照明装置、１０  本体部、１１  底板部、１２  天板部、１３  連結部、１４  アーム取付部、１５  放熱部、１６  ブッシュ、１７  空間、２０  ＬＥＤモジュール、２１  ＬＥＤ、２２  実装基板、３０  レンズ、４０  カバー、４１  カバー貫通孔、５０  電源装置、５１  電源回路、５２  ケース、５３  端子台、６０  アーム、６１  アーム基部、６２  アーム腕部、６３  アーム固定部材、１１１  第一の底板面、１１２  第二の底板面、１１３  底板側取付孔、１２１  第一の天板面、１２２  第二の天板面、１２３  天板貫通孔、１４１  アーム取付孔、２２１  実装面、５２１  ケース板、５２２  側板、５２３  固定片、６１１  第一のアーム基部貫通孔、６１２  第二のアーム基部貫通孔、６２１  第一のアーム腕部貫通孔、６２２  第二のアーム腕部貫通孔、
【図１】
2020123469.tif 000003
【図２】
2020123469.tif 000004
【図３】
2020123469.tif 000005
【図４】
2020123469.tif 000006
【図５】
2020123469.tif 000007
【図６】
2020123469.tif 000008
【図７】
2020123469.tif 000009
【図８】
2020123469.tif 000010
【図９】
2020123469.tif 000011
【図１０】
2020123469.tif 000012